(57)【要約】【課題】軸方向寸法を短くでき、かつ、製造コストを抑えられる、逆入力遮断クラッチを実現する。【解決手段】逆入力遮断クラッチ１を、入力部材２と、該入力部材２と同軸に配置された出力部材３と、被押圧面１０を有する被押圧部材４と、係合子５とから構成する。係合子５は、複数の係合子素板を積層してなる積層構造を有しており、入力部材２に回転トルクが入力されると、入力部材２との係合に基づき被押圧面１０から離れる方向に移動して出力部材３に回転トルクを伝達し、かつ、出力部材３に回転トルクが逆入力されると、出力部材３との係合に基づき被押圧面１０に近づく方向に移動して出力部材３と被押圧部材４との相対回転を防止する。【選択図】図１
2020133868.tif 000002
【特許請求の範囲】
【請求項１】
入力部材と、
該入力部材と同軸に配置された出力部材と、
被押圧面を有する被押圧部材と、
前記入力部材に回転トルクが入力されると、前記入力部材との係合に基づき前記被押圧面から離れる方向に移動して前記出力部材と係合することにより、前記入力部材に入力された回転トルクを前記出力部材に伝達し、かつ、前記出力部材に回転トルクが逆入力されると、前記出力部材との係合に基づき前記被押圧面に近づく方向に移動して前記被押圧面に接触することにより、前記出力部材に逆入力された回転トルクを完全に遮断するか又は前記出力部材に逆入力された回転トルクの一部を前記入力部材に伝達し残部を遮断する係合子と、を備え、
前記係合子は、複数の係合子素板を前記入力部材の軸方向に積層した積層構造を有する、
逆入力遮断クラッチ。
【請求項２】
前記複数の係合子素板は、互いに結合されていない、請求項１に記載の逆入力遮断クラッチ。
【請求項３】
前記複数の係合子素板は、互いに結合されている、請求項１に記載の逆入力遮断クラッチ。
【請求項４】
前記係合子素板は、金属板のプレス成形品である、請求項１〜３のいずれか１項に記載の逆入力遮断クラッチ。
【請求項５】
隣り合う前記係合子素板同士の間に、含油プレートが挟持されている、請求項１〜４のいずれか１項に記載の逆入力遮断クラッチ。
【請求項６】
前記含油プレートは、前記係合子素板の輪郭形状と同形又は前記係合子素板の輪郭形状よりも小さい輪郭形状を有する、請求項５に記載の逆入力遮断クラッチ。
【発明の詳細な説明】
【技術分野】
【０００１】
本発明は、入力部材に入力される回転トルクを出力部材に伝達するのに対し、出力部材に逆入力される回転トルクは完全に遮断して入力部材に伝達しないか又はその一部のみを入力部材に伝達して残部を遮断する機能を有する逆入力遮断クラッチに関する。
【背景技術】
【０００２】
逆入力遮断クラッチは、駆動源などの入力側機構に接続される入力部材と、減速機構などの出力側機構に接続される出力部材を備えており、入力部材に入力される回転トルクを出力部材に伝達するのに対し、出力部材に逆入力される回転トルクは完全に遮断して入力部材に伝達しないか又はその一部のみを入力部材に伝達して残部を遮断する機能を有している。
【０００３】
逆入力遮断クラッチは、出力部材に逆入力される回転トルクを遮断する機構の相違により、ロック式とフリー式に大別される。ロック式の逆入力遮断クラッチは、出力部材に回転トルクが逆入力された際に、出力部材の回転を防止又は抑制する機構を備えている。一方、フリー式の逆入力遮断クラッチは、出力部材に回転トルクが入力された際に、出力部材を空転させる機構を備えている。ロック式の逆入力遮断クラッチとフリー式の逆入力遮断クラッチとのいずれを使用するかについては、逆入力遮断クラッチを組み込む装置の使用用途などによって適宜決定される。
【０００４】
特開２００２−１７４３２０号公報、特開２００７−２３２０９５号公報、及び、特開２００４−０８４９１８号公報などには、ロック式の逆入力遮断クラッチが記載されている。特開２００２−１７４３２０号公報に記載された逆入力遮断クラッチは、出力部材に回転トルクが逆入力された際に、コイルばねのねじれによって生じる直径の変化を利用して、コイルばねの内側に配置した部材を締め付けることにより、出力部材の回転を防止する機構を備えている。これに対し、特開２００７−２３２０９５号公報、及び、特開２００４−０８４９１８号公報に記載された逆入力遮断クラッチは、出力部材に回転トルクが逆入力された際に、内方部材と外方部材との間のくさび形空間に配置された転動体を、くさび形空間のうち径方向に関する幅の狭い側に移動させて、内方部材と外方部材との間で突っ張らせることにより、出力部材の回転を防止する機構を備えている。
【先行技術文献】
【特許文献】
【０００５】
【特許文献１】特開２００２−１７４３２０号公報
【特許文献２】特開２００７−２３２０９５号公報
【特許文献３】特開２００４−０８４９１８号公報
【発明の概要】
【発明が解決しようとする課題】
【０００６】
特開２００２−１７４３２０号公報に記載された逆入力遮断クラッチは、コイルばねのねじれによって生じる直径の変化を利用するため、コイルばねの軸方向寸法を長く確保する必要がある。このため、逆入力遮断クラッチの軸方向寸法が大きくなる、といった問題がある。特開２００７−２３２０９５号公報、及び、特開２００４−０８４９１８号公報に記載された逆入力遮断クラッチは、転動体を多数使用するため、製造コストが嵩むといった問題がある。すなわち、転動体は、一般的に、金属製の線材を所定長さに切断した後、鍛造加工（圧造加工）、粗研削（フラッシング）、熱処理、精研削、ラッピング加工といった複数の工程を経て造られるため、工数が嵩み、製造コストが高くなる。したがって、転動体を多数備えた逆入力遮断クラッチは、製造コストが嵩みやすくなる。
【０００７】
本発明の目的は、軸方向寸法を短くでき、かつ、製造コストを抑えられる、ロック式の逆入力遮断クラッチを提供することにある。
【課題を解決するための手段】
【０００８】
本発明の逆入力遮断クラッチは、入力部材と、出力部材と、被押圧部材と、係合子と、を備えている。
前記出力部材は、前記入力部材と同軸に配置される。
前記被押圧部材は、被押圧面を有する。
前記係合子は、前記入力部材に回転トルクが入力されると前記入力部材との係合に基づき前記被押圧面から離れる方向に移動して前記出力部材と係合することにより前記入力部材に入力された回転トルクを前記出力部材に伝達し、かつ、前記出力部材に回転トルクが逆入力されると前記出力部材との係合に基づき前記被押圧面に近づく方向に移動して前記被押圧面に当接することにより前記出力部材に逆入力された回転トルクを完全に遮断する、すなわち、前記入力部材に伝達しないか、又は、前記出力部材に逆入力された回転トルクの一部を前記入力部材に伝達し残部を遮断する。
特に本発明では、前記係合子を、複数の係合子素板を前記入力部材の軸方向に積層した積層構造を有するものとしている。
【０００９】
本発明では、前記複数の係合子素板を、単に積層しただけの、互いに結合しない構成とすることができる。
あるいは、前記複数の係合子素板を、互いに結合した構成とすることもできる。
前記複数の係合子素板を互いに結合する場合には、たとえば、接着剤、粘着テープ、リベット、ねじ、溶接などの固定手段を用いて結合することができる。
【００１０】
本発明では、前記係合子素板を、金属板のプレス成形品とすることができる。
あるいは、前記係合子素板を、合成樹脂の射出成形品とすることもできる。
【００１１】
本発明では、隣り合う前記係合子素板同士の間に、含油プレートを挟持することができる。
この場合には、前記含油プレートとして、前記係合子素板の輪郭形状と同形又は前記係合子素板の輪郭形状よりも小さい輪郭形状を有するものを使用し、前記含油プレートの外周縁が、前記係合子の外周面からはみ出さないようにすることができる。
前記含油プレートとしては、たとえば、ポリアセタール、ポリアミド６、ポリアミド６６、ポリエチレン、ポリブチレンテレフタラートなどをベース樹脂とし、該ベース樹脂の内部に潤滑油を均一に分散させたものを使用することができる。
【発明の効果】
【００１２】
本発明によれば、逆入力遮断クラッチの軸方向寸法を短くでき、かつ、製造コストを抑えることが可能となる。
【図面の簡単な説明】
【００１３】
【図１】図１は、実施の形態の第１例の逆入力遮断クラッチを示す図である。
【図２】図２は、実施の形態の第１例の逆入力遮断クラッチの斜視図である。
【図３】図３は、実施の形態の第１例の逆入力遮断クラッチから入力部材を取り出してその一部を示す斜視図である。
【図４】図４は、実施の形態の第１例の逆入力遮断クラッチから出力部材を取り出してその一部を示す斜視図である。
【図５】図５の（Ａ）は、実施の形態の第１例の逆入力遮断クラッチから係合子を取り出して示す斜視図であり、図５の（Ｂ）は、係合子を構成する係合子素板を取り出して示す斜視図である。
【図６】図６は、実施の形態の第１例の逆入力遮断クラッチに関して、入力部材に回転トルクが入力された状態を示す図である。
【図７】図７は、実施の形態の第１例の逆入力遮断クラッチに関して、出力部材に回転トルクが逆入力された状態を示す図である。
【図８】図８は、出力部材に回転トルクが逆入力された際に、出力部材から係合子に作用する力の関係を示す、図６の部分拡大図である。
【図９】図９は、出力部材に回転トルクが逆入力された際に、出力部材がロック又は半ロックする条件を説明するために示す図である。
【図１０】図１０は、実施の形態の第１例の逆入力遮断クラッチに関して、出力部材に回転トルクが逆入力されて係合子の押圧面が被押圧面に接触し、かつ、入力部材側係合部が係合子の幅方向中央部に位置した状態を示す部分拡大図である。
【図１１】図１１は、実施の形態の第２例を示す、図５に相当する図である。
【図１２】図１２の（Ａ）は、実施の形態の第３例の逆入力遮断クラッチに組み込む係合子の正面図であり、図１２の（Ｂ）は、図１２の（Ａ）のＡ−Ａ断面に相当する模式図である。
【発明を実施するための形態】
【００１４】
［実施の形態の第１例］
実施の形態の第１例について、図１〜図１０を用いて説明する。なお、以下の説明において、軸方向、径方向及び周方向とは、特に断らない限り、逆入力遮断クラッチ１の軸方向、径方向及び周方向をいう。本例において、逆入力遮断クラッチ１の軸方向、径方向及び周方向は、入力部材２の軸方向、径方向及び周方向と一致し、出力部材３の軸方向、径方向及び周方向と一致し、かつ、被押圧部材４の軸方向、径方向及び周方向と一致する。
【００１５】
［逆入力遮断クラッチの構造の説明］
本例の逆入力遮断クラッチ１は、ロック式の逆入力遮断クラッチであり、入力部材２と、出力部材３と、被押圧部材４と、１対の係合子５とを備えている。逆入力遮断クラッチ１は、入力部材２に入力される回転トルクを出力部材３に伝達するのに対し、出力部材３に逆入力される回転トルクは完全に遮断して入力部材２に伝達しないか又はその一部のみを入力部材２に伝達して残部を遮断する逆入力遮断機能を有している。
【００１６】
入力部材２は、電動モータなどの入力側機構に接続され、回転トルクが入力される。入力部材２は、図３に示すように、入力軸部６と、１対の入力部材側係合部７とを有している。入力軸部６は、段付円柱状で、その基端部が前記入力側機構の出力部にトルク伝達可能に接続されるか、又は、前記入力側機構の出力部と一体に設けられている。１対の入力部材側係合部７は、略楕円柱状で、入力軸部６の先端面の直径方向反対側２個所位置から軸方向に伸長した凸部により構成されている。１対の入力部材側係合部７は、入力部材２の直径方向に互いに離隔している。このため、１対の入力部材側係合部７は、入力軸部６の先端面のうちで回転中心から径方向外方に外れた部分にそれぞれ配置されている。入力部材側係合部７は、その径方向外側面が、入力軸部６の先端部の外周面と同じ円筒面状の輪郭形状を有しており、その径方向内側面が、円周方向中央部が径方向内方に突出した円弧状の凸面となっている。
【００１７】
出力部材３は、減速機構などの出力側機構に接続され、回転トルクを出力する。出力部材３は、入力部材２と同軸に配置されており、図４に示すように、出力軸部８と、出力部材側係合部９とを有している。出力軸部８は、円柱状で、その先端部が前記出力側機構の入力部にトルク伝達可能に接続されるか、又は、前記出力側機構の入力部と一体に設けられている。出力部材側係合部９は、カム機能を有する。すなわち、出力部材３の回転中心軸から出力部材側係合部９の外周面までの距離は、周方向に関して一定でない。本例では、出力部材側係合部９は、略長円柱状で、出力軸部８の基端面の中央部から軸方向に伸長している。出力部材側係合部９の外周側面は、互いに平行な１対の平坦面と、１対の円弧状の凸面とから構成されている。このため、出力部材側係合部９の回転中心から外周側面までの距離は、円周方向にわたり一定でない。出力部材側係合部９は、１対の入力部材側係合部７の間部分に配置される。
【００１８】
被押圧部材４は、図２に示すように、薄肉円環状に構成されており、たとえばハウジングなどの図示しない他の部材に固定されて、その回転が拘束されている。被押圧部材４は、入力部材２及び出力部材３と同軸に、かつ、入力部材２及び出力部材３よりも径方向外側に配置されている。具体的には、１対の入力部材側係合部７及び出力部材側係合部９が、逆入力遮断クラッチ１の組立状態で、被押圧部材４の径方向内側に配置されている。被押圧部材４は、その内周面に円筒面状の凹面である被押圧面１０を有している。
【００１９】
１対の係合子５は、略半円形板状に構成されており、被押圧部材４の径方向内側に配置されている。１対の係合子５のそれぞれは、被押圧面１０に対して押し付けられる径方向外側面を円筒面状の凸面である押圧面１１とし、径方向内側面を、後述する係合子側出力係合部１５が形成された部分以外が平坦面状となった底面１２としている。また、それぞれの係合子５の幅方向両側は、底面１２に対して直角な平坦面状の側面１３となっている。なお、係合子５に関して径方向とは、図１に矢印Ａで示した底面１２に対して直角な方向をいい、図１に矢印Ｂで示した底面１２に対して平行な方向を、係合子５に関して幅方向という。押圧面１１の曲率半径は、被押圧面１０の曲率半径以下となっている。押圧面１１は、係合子５のその他の部分に比べて摩擦係数の大きい表面性状を有している。押圧面１１は、係合子５の表面によって直接構成しても良いし、係合子５に貼着や接着などにより固定した摩擦材によって構成しても良い。
【００２０】
本例では、１対の係合子５の押圧面１１を被押圧部材４の径方向反対側に向け、かつ、１対の係合子５の底面１２を互いに対向させている。また、１対の係合子５を被押圧部材４の径方向内側に配置した状態で、被押圧面１０と押圧面１１との間部分、及び、底面１２同士の間部分の少なくとも一方に隙間が存在するように、被押圧部材４の内径寸法と係合子５の径方向寸法を規制している。
【００２１】
係合子５は、係合子側入力係合部１４と、係合子側出力係合部１５とを有している。係合子側入力係合部１４は、係合子５の径方向中間部を軸方向に貫通し、かつ、幅方向に長い矩形状の長孔である、入力係合孔により構成されている。係合子側入力係合部１４は、入力部材側係合部７を緩く挿入できる大きさを有している。具体的には、係合子側入力係合部１４の内側に入力部材側係合部７を挿入した状態で、入力部材側係合部７と係合子側入力係合部１４の内面との間には、係合子５の幅方向及び該幅方向に直交する方向にそれぞれ隙間が存在する。このため、入力部材側係合部７は、係合子側入力係合部１４（係合子５）に対し、入力部材２の回転方向に関する変位が可能であり、係合子側入力係合部１４は、入力部材側係合部７に対し、係合子５の幅方向に直交する方向の変位が可能である。
【００２２】
係合子側出力係合部１５は、１対の係合子５のそれぞれの底面１２の幅方向中央部から径方向外方に向けて凹んだ略矩形状の凹部である。係合子側出力係合部１５は、その内側に出力部材側係合部９の短軸方向の先半部をがたつきなく配置できる大きさ及び形状を有している。具体的には、係合子側出力係合部１５は、その開口幅が、出力部材側係合部９の長軸方向に関する寸法とほぼ同じであり（同じか、あるいは、わずかに大きく）、その径方向深さが、出力部材側係合部９の短軸方向に関する寸法の１／２よりも少しだけ小さくなっている。係合子側出力係合部１５の底部は、底面１２と平行な平坦面となっている。
【００２３】
係合子５は、図５の（Ａ）に示すように、複数の薄板状の係合子素板１６を、軸方向に積層した積層構造を有している。それぞれの係合子素板１６は、鋼板などのある程度の剛性を有する金属板に、プレス加工による打ち抜き加工を施して造られたプレス成形品である。このため、係合子５を構成するすべての係合子素板１６は、同じ形状及び同じ板厚を有している。係合子素板１６を構成する材料としては、たとえば、ＳＫ材などの工具鋼、ＳＰＣＣやＳＰＨＣなどの冷間圧延鋼板を使用することができる。係合子素板１６の板厚は、材料や積層数、逆入力遮断クラッチ１の使用条件などに応じて適宜決定することができ、たとえば０．５ｍｍ〜４ｍｍ程度である。ただし、係合子素板１６の材質、形状及び板厚は、係合子５を構成するすべての係合子素板１６同士の間で必ずしも同じである必要はない。一部の係合子素子１６と残りの係合子素子１６との間で、材質、形状又は板厚を、互いに異ならせることもできる。
【００２４】
係合子素板１６の積層数は、係合子素板１６の板厚や剛性、逆入力遮断クラッチ１の使用条件などに応じて適宜決定することができ、たとえば４枚〜１０枚程度とすることができる。
【００２５】
係合子素板１６は、図５の（Ｂ）に示すように、軸方向に積層した状態で押圧面１１を構成する凸円弧状の外周縁である押圧辺１７と、軸方向に積層した状態で係合子側入力係合部１４を構成する貫通孔１８と、軸方向に積層した状態で係合子側出力係合部１５を構成する凹部１９と、をそれぞれ有する。なお、複数の係合子素板１６を積層してなる積層体の係合子５の外周面に、摩擦材を貼着や接着などにより固定して押圧面１１を構成することもできる。
【００２６】
本例では、複数枚の係合子素板１６を、単に積層しただけの互いに結合しない態様で、係合子５を構成している。このため、隣り合う係合子素板１６の側面同士は、他の部材を介さずに、直接重ね合わされている。ただし、複数の係合子素板１６は、互いに結合することもできる。この場合には、複数の係合子素板１６を一体的に取り扱うことが可能になるため、逆入力遮断クラッチ１の組み立て作業性を向上できるとともに、部品管理コストを抑えることができる。係合子素板１６を結合する場合には、たとえば、接着剤、粘着テープ、リベット、ねじ、溶接などの固定手段を用いることができる。
【００２７】
本例の逆入力遮断クラッチ１は、その組立状態で、軸方向一方側に配置した入力部材２の１対の入力部材側係合部７を、１対の係合子５のそれぞれの係合子側入力係合部１４に軸方向に挿入し、かつ、軸方向他方側に配置した出力部材３の出力部材側係合部９を、１対の係合子側出力係合部１５同士の間に軸方向に挿入している。すなわち、１対の係合子５は、それぞれの係合子側出力係合部１５により、出力部材側係合部９を径方向外側から挟むように配置されている。また、本例では、入力部材側係合部７の軸方向寸法、出力部材側係合部９の軸方向寸法、被押圧部材４の軸方向寸法、及び、係合子５の軸方向寸法をそれぞれほぼ同じとしている。
【００２８】
［逆入力遮断クラッチの動作説明］
本例の逆入力遮断クラッチ１の動作について説明する。
（入力部材２に回転トルクが入力された場合）
先ず、入力部材２に入力側機構から回転トルクが入力された場合を説明する。
入力部材２に回転トルクが入力されると、図６に示すように、係合子側入力係合部１４の内側で、入力部材側係合部７が入力部材２の回転方向（図６の例では時計方向）に回転する。すると、入力部材側係合部７の径方向内側面が係合子側入力係合部１４の内面を径方向内方に向けて押圧し、１対の係合子５を、被押圧面１０から離れる方向にそれぞれ移動させる。つまり、１対の係合子５を、入力部材２との係合に基づき、互いに近づく方向である径方向内方に（図６の上側に位置する係合子５を下方に、図６の下側に位置する係合子５を上方に）それぞれ移動させる。これにより、１対の係合子５の底面１２が互いに近づく方向に移動し、１対の係合子側出力係合部１５が出力部材３の出力部材側係合部９を径方向両側から挟持する。すなわち、出力部材３を、出力部材側係合部９の長軸方向が係合子５の底面１２と平行になるように回転させつつ、出力部材側係合部９と１対の係合子側出力係合部１５とをがたつきなく係合させる。したがって、入力部材２に入力された回転トルクは、１対の係合子５を介して、出力部材３に伝達され、出力部材３から出力される。本例の逆入力遮断クラッチ１は、入力部材２に回転トルクが入力されると、入力部材２の回転方向に関係なく、１対の係合子５を、被押圧面１０から離れる方向にそれぞれ移動させる。そして、入力部材２の回転方向にかかわらず、入力部材２に入力された回転トルクを、１対の係合子５を介して、出力部材３に伝達する。
【００２９】
（出力部材３に回転トルクが逆入力された場合）
次に、出力部材３に出力側機構から回転トルクが逆入力された場合を説明する。
出力部材３に回転トルクが逆入力されると、図７に示すように、出力部材側係合部９が、１対の係合子側出力係合部１５同士の内側で、出力部材３の回転方向（図７の例では時計方向）に回転する。すると、出力部材側係合部９の角部が係合子側出力係合部１５の底面を径方向外方に向けて押圧し、１対の係合子５を、被押圧面１０に近づく方向にそれぞれ移動させる。つまり、１対の係合子５を、出力部材３との係合に基づき、互いに離れる方向である径方向外方に（図７の上側に位置する係合子５を上方に、図７の下側に位置する係合子５を下方に）それぞれ移動させる。これにより、１対の係合子５のそれぞれの押圧面１１を、被押圧部材４の被押圧面１０に対して押し付ける。この際、押圧面１１と被押圧面１０とは、押圧面１１の周方向に関する全範囲又は一部（たとえば中央部）で接触する。この結果、出力部材３に逆入力された回転トルクが、図示しない他の部材に固定された被押圧部材４に伝わることで完全に遮断されて入力部材２に伝達されないか、又は、出力部材３に逆入力された回転トルクの一部のみが入力部材２に伝達され残部が遮断される。出力部材３に逆入力された回転トルクを完全に遮断して入力部材２に伝達されないようにするには、押圧面１１が被押圧面１０に対して摺動（相対回転）しないように、１対の係合子５を出力部材側係合部９と被押圧部材４との間で突っ張らせ、出力部材３をロックする。これに対し、出力部材３に逆入力された回転トルクのうちの一部のみが入力部材２に伝達され残部が遮断されるようにするには、押圧面１１が被押圧面１０に対して摺動するように、１対の係合子５を出力部材側係合部９と被押圧部材４との間で突っ張らせ、出力部材３を半ロックする。つまり、押圧面１１を被押圧面１０に対して摺動させる際に生じる摺動摩擦力により、出力部材３には、逆入力された回転トルクとは反対向きのブレーキトルクが加わる。このため、出力部材３に逆入力された回転トルクの一部のみが、係合子５を介して入力部材３に伝達される。
【００３０】
本例では、１対の係合子５のそれぞれを、複数の係合子素板１６の積層構造とし、かつ、複数の係合子素板１６同士を互いに結合しない態様としているが、入力部材側係合部７又は出力部材側係合部９との係合に基づき、係合子５を構成するすべての係合子素板１６は、ほぼ同期して径方向に移動することが可能である。
【００３１】
なお、本例の逆入力遮断クラッチ１では、以上の動作が可能となるように、各構成部材間の隙間の大きさが調整されている。
【００３２】
たとえば、本例では、図１０に示すように、出力部材３に回転トルクが逆入力されることによって係合子５の押圧面１１が被押圧面１０に接触した位置関係において、入力部材側係合部７を係合子側入力係合部１４内の幅方向中央に位置させたとき、すなわち、入力部材側係合部７の径方向内側面のうち、入力部材２の回転中心（＝出力部材３の回転中心）Ｏから最も近い位置に存在する部分である円周方向中央部を、被押圧面１０に対する押圧面１１の遠近動方向（図１０の上下方向）に関して、入力部材２の回転中心Ｏから径方向外側（図１０の上側）に最も遠ざけたときに、入力部材側係合部７の径方向内側面と係合子側入力係合部１４の内面とが非接触になるようにしている。換言すれば、入力部材側係合部７の径方向内側面と係合子側入力係合部１４の内面との間に、出力部材側係合部９の角部が係合子側出力係合部１５の底面を押圧することに基づいて押圧面１１が被押圧面１０に向けて押圧されることを許容する隙間Ｇが存在するようにしている。これにより、出力部材３に回転トルクが逆入力された場合に、係合子５が径方向外側（図１０の上側）に移動するのを入力部材側係合部７によって阻止されることがないようにし、かつ、押圧面１１が被押圧面１０に接触した後も、押圧面１１と被押圧面１０との接触部に作用する面圧が、出力部材３に逆入力された回転トルクの大きさに応じて変化するようにすることで、出力部材３のロック又は半ロックが適正に行われるようにしている。
【００３３】
上述のように出力部材３に回転トルクが逆入力された場合に、出力部材３がロック又は半ロックする原理及び条件について、図８及び図９を参照して、より具体的に説明する。
出力部材３に回転トルクが逆入力されることで、出力部材側係合部９の角部が係合子側出力係合部１５の底面に当接すると、図８に示すように、出力部材側係合部９の角部と係合子側出力係合部１５の底面との当接部Ｘには、係合子側出力係合部１５の底面に対し垂直方向に法線力Ｆｃが作用する。また、当接部Ｘには、出力部材側係合部９と係合子側出力係合部１５との間の摩擦係数をμとすると、係合子側出力係合部１５の底面と平行な方向に摩擦力μＦｃが作用する。ここで、当接部Ｘに作用する接線力Ｆｔの作用線の方向と係合子側出力係合部１５の底面との間のくさび角をθとすると、接線力Ｆｔは、次の式（１）により表される。
Ｆｔ＝Ｆｃ・ｓｉｎθ＋μＦｃ・ｃｏｓθ  ・・・（１）
このため、法線力Ｆｃは、接線力Ｆｔを用いて、次の（２）式により表される。
Ｆｃ＝Ｆｔ／（ｓｉｎθ＋μ・ｃｏｓθ）  ・・・（２）
【００３４】
出力部材側係合部９の角部が係合子側出力係合部１５の底面に当接した際に、出力部材３から係合子５に伝達されるトルクＴの大きさは、出力部材３の回転中心Ｏから当接部Ｘまでの距離をｒとすると、次の（３）式で表される。
Ｔ＝ｒ・Ｆｔ  ・・・（３）
【００３５】
上述したように、当接部Ｘには法線力Ｆｃが作用するため、図９に示すように、係合子５の押圧面１１は、被押圧部材４の被押圧面１０に対して法線力Ｆｃの力で押し付けられる。このため、押圧面１１と被押圧面１０との間の摩擦係数をμ´とし、出力部材３の回転中心Ｏから押圧面１１と被押圧面１０との当接部Ｙまでの距離をＲとすると、係合子５に作用するブレーキトルクＴ´の大きさは、次の（４）式で表される。
Ｔ´＝μ´ＲＦｃ  ・・・（４）
したがって、より大きなブレーキ力を得るには、摩擦係数μ´、距離Ｒ、法線力Ｆｃを大きくすれば良いことが分かる。
【００３６】
また、出力部材３がロックして、出力部材３に逆入力された回転トルクが入力部材２に伝達されないようにするためには、伝達トルクＴとブレーキトルクＴ´とが、次の（５）式の関係を満たす必要がある。
Ｔ＜Ｔ´  ・・・（５）
また、上記（５）式に上記（１）〜（４）式を代入すると次の（６）式が得られる。
μ´Ｒ／（ｓｉｎθ＋μ・ｃｏｓθ）＞ｒ  ・・・（６）
上記（６）式からは、押圧面１１と被押圧面１０との間の摩擦係数μ´を大きくすれば、距離Ｒを小さくしても、出力部材３をロックさせられることが分かる。
【００３７】
また、摩擦係数μ及び摩擦係数μ´がそれぞれ０．１であると仮定すると、上記（６）式から次の（７）式が得られる。
Ｒ＞１０ｒ（ｓｉｎθ＋０．１ｃｏｓθ）  ・・・（７）
上記（７）式からは、出力部材３の回転中心Ｏから当接部Ｘまでの距離ｒと、出力部材３の回転中心Ｏから当接部Ｙまでの距離Ｒと、接線力Ｆｔの作用線の方向と係合子側出力係合部１５の底面との間のくさび角θとを適切に設定することで、出力部材３をロックさせられることが分かる。
【００３８】
これに対し、出力部材３が半ロックして、出力部材３に逆入力された回転トルクの一部のみが入力部材２に伝達され残部が遮断されるようにするためには、伝達トルクＴとブレーキトルクＴ´とが、次の（８）式の関係を満たす必要がある。
Ｔ＞Ｔ´  ・・・（８）
また、上記（６）式からも明らかな通り、出力部材側係合部９と係合子側出力係合部１５との間の摩擦係数μ、押圧面１１と被押圧面１０との間の摩擦係数μ´、回転中心Ｏから当接部Ｘまでの距離ｒ、回転中心Ｏから当接部Ｙまでの距離Ｒ、接線力Ｆｔの作用線の方向と係合子側出力係合部１５の底面との間のくさび角θをそれぞれ適切に設定することで、出力部材３を半ロックさせることができる。
【００３９】
また、出力部材３がロック又は半ロックした状態で、入力部材２に回転トルクが入力された場合、入力部材２から係合子５に作用する法線力が、出力部材３から係合子５に作用する法線力Ｆｃよりも大きくなると、出力部材３のロック又は半ロックが解除される。つまり、係合子５は径方向内方に移動し、入力部材２から出力部材３に回転トルクが伝達される。
【００４０】
以上の構成を有し、上述のように動作する本例の逆入力遮断クラッチ１によれば、軸方向寸法を短くでき、かつ、製造コストを抑えられる。
本例の逆入力遮断クラッチ１は、入力部材２及び出力部材３のそれぞれの回転の少なくとも一部を、係合子５の径方向移動に変換する。そして、このように入力部材２及び出力部材３の回転を係合子５の径方向移動に変換することで、係合子５を、該係合子５の径方向内側に位置する出力部材３に係合させたり、あるいは、係合子５を、該係合子５の径方向外側に位置する被押圧部材４に押し付けるようにしている。このように、本例の逆入力遮断クラッチ１は、入力部材２及び出力部材３のそれぞれの回転によって制御される係合子５の径方向移動に基づき、入力部材２から出力部材３に回転トルクが伝達可能になる出力部材３のロック又は半ロック解除状態と、出力部材３の回転が防止又は抑制される出力部材３のロック又は半ロック状態とを切り替えることができるため、逆入力遮断クラッチ１の装置全体の軸方向寸法を短くできる。
【００４１】
しかも、係合子５に、入力部材２に入力された回転トルクを出力部材３に伝達する機能と、出力部材３をロック又は半ロックする機能との両方の機能を持たせている。このため、逆入力遮断クラッチ１の部品点数を抑えることができ、かつ、回転トルクを伝達する機能とロック又は半ロックする機能とをそれぞれ別の部材に持たせる場合に比べて、動作を安定させることができる。たとえば、回転トルクを伝達する機能とロック又は半ロックする機能とを別の部材に持たせる場合、ロック又は半ロック解除のタイミングと回転トルクの伝達開始のタイミングとがずれる可能性がある。この場合、ロック又は半ロック解除から回転トルクの伝達開始までの間に出力部材に回転トルクが逆入力されると、出力部材が再びロック又は半ロックされてしまう。本例では、係合子５に、回転トルクを出力部材３に伝達する機能と、出力部材３をロック又は半ロックする機能との両方の機能を持たせているため、このような不都合が生じることを防止できる。
【００４２】
また、入力部材２から係合子５に作用する力の向きと、出力部材３から係合子５に作用する力の向きとを逆向きにしているため、両方の力の大小関係を規制することで、係合子５の移動方向を制御できる。このため、出力部材３のロック又は半ロック状態とロック又は半ロック解除状態の切り替え動作を安定して確実に行うことができる。したがって、特開２００７−２３２０９５号公報、及び、特開２００４−０８４９１８号公報に記載された従来構造の逆入力遮断クラッチのように、くさび形空間の径方向に関する幅の狭い部分に転動体が噛み込まれたままとなり、ロックが解除されなくなる、といった不都合が生じることを防止できる。
【００４３】
また、係合子５を、複数の係合子素板１６を軸方向に積層することにより構成しているため、それぞれの係合子素板１６を、鋼板などの金属板に、プレス加工による打ち抜き加工を施すことのみによって造ることができる。このため、特開２００７−２３２０９５号公報、及び、特開２００４−０８４９１８号公報に記載された従来構造の逆入力遮断クラッチのように、複数の工程を経て造る必要がある転動体を用いる場合に比べて、製造コストを抑えることができる。さらに、係合子５を、本例のような積層構造とはせずに一体的に造る場合には、たとえば鋳造加工や粉末冶金、切削加工などにより造ることが考えられるが、このような加工方法に比べて、プレス加工による打ち抜き加工は工数がかからないため、係合子５を一体的に造る場合に比べても、十分に製造コストを抑えることができる。
【００４４】
さらに、逆入力遮断クラッチ１の使用条件に合わせて、係合子素板１６の積層数を変更することができる。このため、被押圧面１０と押圧面１１との面圧を、容易に調整することが可能になる。なお、係合子素板１６を積層した状態で、外周面に研磨加工を施すことができる。ただし、研磨加工を施さない場合にも、使用に伴って係合子素板１６の外周縁が摩耗するため、研磨加工を施した場合と同じように、全ての係合子素板１６の外周縁の形状は同じになる。
【００４５】
［実施の形態の第２例］
実施の形態の第２例について、図１１を用いて説明する。
本例では、係合子５ａの径方向外側面のうち、周方向に離隔した２個所位置に、被押圧面１０（図１参照）に対して押し付けられる押圧面１１ａを設けている。それぞれの押圧面１１ａは、被押圧面１０の曲率半径よりも小さな曲率半径を有する、円筒面状の凸面である。係合子５ａの径方向外側面の周方向中間部に位置する１対の押圧面１１ａ同士の間には、被押圧面１０に対して押し付けられない（被押圧面１０との間に常に隙間が存在する）平坦面状の非接触面２０を設けている。このため、係合子５ａの径方向に関する幅寸法は、実施の形態の第１例の係合子５に比べて小さくなっている。また、実施の形態の第１例の係合子５の径方向外側面の輪郭形状は、全体が円弧状であったのに対し、本例の係合子５ａの径方向外側面の輪郭形状は、１対の円弧部の端部同士を直線部により接続することで構成されている。
【００４６】
係合子５ａは、径方向中間部に、略円弧状の長孔である係合子側入力係合部１４ａを有している。このような係合子側入力係合部１４ａの内側には、入力部材２（図３参照）の入力部材側係合部７を、被押圧面１０に対する遠近移動を可能に、かつ、入力部材２の回転方向に関する移動を可能に緩く係合する。
【００４７】
上述のような係合子５ａは、複数の係合子素板１６ａを軸方向に積層した積層構造を有している。係合子素板１６ａは、径方向外側面のうち、周方向に離隔した２個所位置に、軸方向に積層した状態で押圧面１１ａを構成する押圧辺１７ａを有しており、周方向中間部に、軸方向に積層した状態で非接触面２０を構成する直線部２１を有している。
【００４８】
以上のような係合子５ａを備えた逆入力遮断クラッチでは、出力部材３（図４参照）に回転トルクが逆入力された際に、係合子５ａの径方向外側面に設けられた１対の押圧面１１ａを、被押圧面１０に対して押し付ける。押圧面１１ａの曲率半径は、被押圧面１０の曲率半径よりも小さいため、くさび効果を得ることができ、実施の形態の第１例に比べて、大きな法線力（ブレーキトルク）を得ることができる。
その他の構成及び作用効果については、実施の形態の第１例と同じである。
【００４９】
［実施の形態の第３例］
実施の形態の第３例について、図１２を用いて説明する。
本例では、係合子５ｂを構成する軸方向に隣り合う係合子素板１６の同士の間に、含油プレート２２を挟持している。含油プレート２２は、たとえば、ポリアセタール、ポリアミド６、ポリアミド６６、ポリエチレン、ポリブチレンテレフタラートなどをベース樹脂とし、該ベース樹脂の内部に潤滑油を均一に分散させて構成されている。
【００５０】
含油プレート２２は、係合子素板１６の輪郭形状よりも小さい輪郭形状を有している。また、含油プレート２２は、径方向中間部に、入力部材２（図３参照）の入力部材側係合部７を緩く挿通可能な通孔２３を有している。
【００５１】
本例では、含油プレート２２中に含まれる潤滑剤を、被押圧面１０と押圧面１１との当接部、出力部材側係合部９（図１参照）と係合子側出力係合部１５との係合部、及び、入力部材側係合部７と係合子側入力係合部１４との係合部に、長期間にわたり効率良く供給することができる。このため、逆入力遮断クラッチ１を構成する各部の摩耗を抑制することができ、逆入力遮断クラッチ１の耐久性を向上することができる。また、含油プレート２２として、係合子素板１６の輪郭形状よりも小さい輪郭形状を有するものを使用しているため、含油プレート２２の外周縁が、係合子５の外周面からはみ出さないようにすることができる。このため、含油プレート２２を設けたことで、被押圧面１０と押圧面１１との接触状態や、出力部材側係合部９と係合子側出力係合部１５との係合状態に悪影響を与えることを防止できる。
その他の構成及び作用効果については、実施の形態の第１例と同じである。
【００５２】
上述した実施の形態の第１例〜第３例の構造は、矛盾を生じない限り、適宜組み合わせて実施することができる。
【００５３】
本発明の逆入力遮断クラッチは、各種機械が備える係合子の数は、実施の形態の第１例〜第３例で示した２個に限らず、１個でも良いし、３個以上としても良い。また、入力部材及び出力部材と係合子との係合構造に関しても、実施の形態の第１例〜第３例で示した構造に限定されない。入力部材及び出力部材のそれぞれの回転を係合子の径方向移動に変換可能であれば、従来から知られた各種構造を採用できる。
【００５４】
昇降装置の一種である自動車の電動パワーウィンドウなどには、セルフロック機能を備えたウォーム減速機が使用されているが、セルフロック機能に代えて、逆入力遮断クラッチを設けることができる。ウォーム減速機にセルフロック機能を持たせると、正効率が低くなり、装置が大型化する可能性があるが、逆入力遮断クラッチを適用すれば、正効率の高くできるため、装置の大型化を防止できる。
【符号の説明】
【００５５】
１  逆入力遮断クラッチ
２  入力部材
３  出力部材
４  被押圧部材
５、５ａ、５ｂ  係合子
６  入力軸部
７  入力部材側係合部
８  出力軸部
９  出力部材側係合部
１０  被押圧面
１１  押圧面
１２  底面
１３  側面
１４  係合子側入力係合部
１５  係合子側出力係合部
１６、１６ａ  係合子素板
１７、１７ａ  押圧辺
１８  貫通孔
１９  凹部
２０  非接触面
２１  直線部
２２  含油プレート
２３  通孔
【図１】
2020133868.tif 000003
【図２】
2020133868.tif 000004
【図３】
2020133868.tif 000005
【図４】
2020133868.tif 000006
【図５】
2020133868.tif 000007
【図６】
2020133868.tif 000008
【図７】
2020133868.tif 000009
【図８】
2020133868.tif 000010
【図９】
2020133868.tif 000011
【図１０】
2020133868.tif 000012
【図１１】
2020133868.tif 000013
【図１２】
2020133868.tif 000014